(57)【要約】【課題】一枚の板紙を折り曲げるだけで箱内を１２に区画する仕切体を組立容易とする。【解決手段】矩形状の底板２の前後側縁に連設された端板３を起立させ、端板３と底板２の左右側縁に連設された側板４とを連結する第１連結片５を側板４の内側に重合させて、端板３の起立に追従して側板４を起立させ、側板４の起立に伴い、底板２と側板４に切り抜き形成されて遊離可能な中仕切板１０とを連結する第２連結片１１を底板２の上側に重合させて中仕切板１０を側板４に直交する方向に遊離回転させ、端板３の左右に張り出す張出部６を側板４に形成された切欠き８に差込んでなる。【選択図】図２
2007230638.tif 000002
【特許請求の範囲】
【請求項１】
打抜き形成された単一の板紙により形成され、矩形状の底板と、底板の前後側縁に夫々折目線を介して連設された一対の端板と、底板の左右側縁に夫々折目線を介して連設された一対の側板と、各端板の左右に張り出す一対の張出部と、各側板に形成されて張出部を差込み可能な切欠きと、端板と側板とを夫々折目線を介して連結する第１連結片と、各側板の中央部に切り抜き形成されて側板に直交する方向に遊離可能な中仕切板と、底板と中仕切板とを夫々折目線を介して連結する第２連結片とを備え、
端板を起立させ、第１連結片を側板の内側に重合させて端板の起立に追従して側板を起立させ、第２連結片を底板の上側に重合させて中仕切板を側板に直交する方向に遊離回転させ、更に、端板の張出部を側板の切欠きに差し込んでなることを特徴とする仕切体。
【請求項２】
矩形状の底板と、底板の左右側縁に夫々折目線を介して連設された一対の側板と、底板の前後側縁に夫々折目線を介して連設された一対の端板と、各端板の左右に張り出す一対の張出部と、各側板に形成されて張出部を差込み可能な切欠きと、側板と端板とを夫々折目線を介して連結する第１連結片と、各側板の中央部に切り抜き形成されて側板に直交する方向に遊離可能な中仕切板と、底板と中仕切板とを夫々折目線を介して連結する第２連結片とを備える仕切体を組立てる仕切体の組立補助具であって、
底板を水平に支持する底板支持部と、端板を起立方向に傾斜させて保持する端板保持部と、中仕切板の遊離方向に第２連結片を押し上げる突起とを備えることを特徴とする仕切体の組立補助具。
【発明の詳細な説明】
【技術分野】
【０００１】
本発明は、箱内に設置して箱内を区画する仕切体、及び、この仕切体を組立てる際に用いる組立補助具に関する。
【背景技術】
【０００２】
従来、矩形状の底板の左右端縁に連設された一対の端板を起立させ、底板の前後端縁に連設された一対の側板を起立させて端板の張出部を側板の切欠きに差し込むことで組立状態となる仕切体が知られている（特許文献１参照）。これによれば、打抜き形成された一枚の板紙を折り曲げるだけで組立てることができ、また使用する板紙の面積も比較的小とすることができるので、安価に製造することができる。
【０００３】
しかし、この種の仕切体は、一対の端板と一対の側板とを互いに交差させて区画を形成するために箱内に収容したときの最大区画数が９となる。そして、例えば、箱内に１２の区画数を形成するためには、両端板の中間位置、或いは両側板の中間位置に、他の板紙によって形成された中仕切板を組み付ける必要がある。このため、仕切体の本体とは別に中仕切板を製造しなければならないだけでなく、中仕切板を組み付ける作業が増加して組立効率が低下する不都合がある。
【０００４】
また、端板と側板とを折返片を介して繋ぎ、端板を起立させたときに、折返片が側板に重合して、側板が追従して起立するように構成した仕切体が知られている（特許文献２参照）。これによれば、一対の端板を起立させる作業を行うだけで、一対の側板が自動的に起立状態となり、組立作業効率を向上させることができる。
【０００５】
しかし、これによっても、一対の端板と一対の側板とが互いに交差して区画を形成するために箱内に収容したときの最大区画数が９となり、例えば、箱内に１２の区画数を形成するためには、他の部材である中仕切板を側板に交差させるようにして組み付ける必要がある。このため、端板と側板との起立が一挙に行えても、中仕切板の組み付け作業が必要であり、また、中仕切板が別部材であるために、その取り扱いが煩わしい不都合がある。
【特許文献１】実開昭５７−１８６３５９号公報（第１図〜第４図）
【特許文献２】特開２００２−２２５８４８号公報（第８図及び第９図）
【発明の開示】
【発明が解決しようとする課題】
【０００６】
かかる不都合を解消して、本発明は、打抜き形成された一枚の板紙を折り曲げるだけで箱内を１２に区画することができ、組立容易な仕切体を提供することを目的とすると共に、その仕切体の組立作業を飛躍的に軽減することができる組立補助具を提供することを目的とする。
【課題を解決するための手段】
【０００７】
かかる目的を達成するために、本発明の仕切体は、打抜き形成された単一の板紙により形成され、矩形状の底板２と、底板２の前後側縁に夫々折目線ａを介して連設された一対の端板３と、底板２の左右側縁に夫々折目線ｂを介して連設された一対の側板４と、各端板３の左右に張り出す一対の張出部６と、各側板４に形成されて張出部６を差込み可能な切欠き８と、端板３と側板４とを夫々折目線ｃ，ｄを介して連結する第１連結片５と、各側板４の中央部に切り抜き形成されて側板４に直交する方向に遊離可能な中仕切板１０と、底板２と中仕切板１０とを夫々折目線ｇ，ｈを介して連結する第２連結片１１とを備え、端板３を起立させ、第１連結片５を側板４の内側に重合させて端板３の起立に追従して側板４を起立させ、第２連結片１１を底板２の上側に重合させて中仕切板１０を側板４に直交する方向に遊離回転させ、更に、端板３の張出部６を側板４の切欠き８に差し込んでなることを特徴とする。
【０００８】
本発明の仕切体を組立てるときには、先ず、端板３を起立させる。これにより、端板３に連設されている第１連結片５が折目線ｃ，ｄを介して折曲がって側板４に重合する方向に折り返され、その動きに追従して第１連結片５に連設されている側板４が起立方向に引き上げられる。そして更に、側板４が起立されると、その動きに追従して底板２に連設されている第２連結片１１が折目線ｇ，ｈを介して折れ曲がり、底板２の上側に重合する。このとき、第２連結片１１には中仕切板１０が連設されているので、第２連結片１１に引っ張られた中仕切板１０が、側板４から遊離し側板４に対して直交するまで回転する。中仕切板１０が側板４に対して直交することにより、中仕切板１０は両端板３の中間において仕切り区画を形成する。そして、起立する端板３の張出部６を、起立する側板４の切欠き８に差し込むことにより、確実に組立状態が維持された仕切体が形成される。
【０００９】
このように、端板３を起立させることによって、側板４の起立と中仕切板１０の遊離回転とが行われるので、組立工数は極めて少なく容易且つ迅速に組立てることができる。そして、組立後には、一対の端板３と、一対の側板４と、中仕切板１０とによる１２の区画を形成することができる。しかも、中仕切板１０は側板４に切り抜き形成されたものであるので、単一の板紙により一体に形成できて材料費の増加も防止できる。
【００１０】
また、本発明の仕切体の組立補助具は、底板２を水平に支持する底板支持部１４と、端板３を起立方向に傾斜させて保持する端板保持部１５と、中仕切板１０の遊離方向に第２連結片１１を押し上げる突起１６とを備えることを特徴とする。
【００１１】
本発明の組立補助具によれば、底板２を底板支持部１４に載置するだけで、端板保持部１５に当接した端板３が起立方向に傾斜され、第２連結片１１が突起１６によって押し上げられた状態となる。側板４は第１連結片５を介して端板３に連設されているので、端板３が起立方向に傾斜することに伴って側板４も傾斜する。更に、突起１６によって第２連結片１１が押し上げられることによって、側板４から中仕切板１０から遊離して僅かに回転傾斜した状態となる。そして、この状態から、端板３を起立させる作業を行うだけで、側板４の起立と中仕切板１０の回転が円滑に行われ、仕切体の組立作業を飛躍的軽減して作業効率を向上させることができる。
【発明を実施するための最良の形態】
【００１２】
本発明の一実施形態を図面に基づいて説明する。図１は本実施形態の仕切体の展開図、図２は本実施形態の仕切体の組立状態を示す説明的斜視図、図３は本実施形態の組立補助具の説明的斜視図、図４及び図５は本実施形態の組立補助具の使用状態を示す説明図である。
【００１３】
本実施形態の仕切体１は、図１に示すように、打抜き形成された単一の板紙（展開状態）から形成される。展開状態の仕切体１は、矩形状の底板２の前後側縁の夫々に第１折目線ａを介して一対の端板３が連設され、底板２の左右側縁の夫々に第２折目線ｂを介して一対の側板４が連設されている。
【００１４】
端板３と側板４との間には端板３と側板４とを連結する略三角形状の第１連結片５が設けられている。第１連結片５は、第３折目線ｃを介して端板３に連設されており、第４折目線ｄを介して側板４に連設されている。第３折目線ｃは、第２折目線ｂの延長線に沿って延設され、第１連結片５を端板３の外側方向に折り曲げるようになっている。第４折目線ｄは、第３折目線ｃに対して４５°の角度に傾斜して延設され、第１連結片５を側板４の内側方向に折り曲げるようになっている。
【００１５】
端板３には、その左右側に張り出す張出部６が形成されている。端板３の先端縁（起立したときの上端縁）の各張出部６の基部側に位置する部分には係止凹部７が形成されている。
【００１６】
側板４には、組立後に端板３の各張出部６が差し込まれる複数（４つ）の切欠き孔８（切欠き）が形成されており、各切欠き孔８の内側には端板３の係止凹部７が係止する係止段部９が形成されている。また、側板４の中央位置には、不連続の切目線ｅにより切り抜かれて遊離自在の中仕切板１０が形成されている。中仕切板１０は、側板４の先端側（起立したときの上縁側）の内方で第５折目線ｆを介して側板４に連設されている。第５折目線は、第１折目線ａと平行となる方向に延設されており、側板４から遊離する中仕切板１０の中央に位置している。これにより、中仕切板１０は、側板４から遊離したとき第５折目線ｆを軸として回転し、一側半部が側板４の外側に張り出し、他側半部が側板４の内側に張り出すようになっている。
【００１７】
また、中仕切板１０は、その下端となる側が略三角形状の第２連結片１１を介して底板２に連結されている。第２連結片１１は、底板２の一部に切り込んで形成され、第６折目線ｇを介して中仕切板１０に連設されており、第７折目線ｈを介して底板２に連設されている。第６折目線ｇは、第２折目線ｂの延長線に沿って延設され、第２折目線ｂと逆方向に折れ曲がるようになっている。第７折目線ｈは、第６折目線ｇに対して４５°の角度に傾斜して延設され、第２連結片１１を底板２の上側方向に折り曲げるようになっている。また、中仕切板１０の下端部の第６折目線ｇの近傍位置には、中仕切板１０が側板４から遊離したときに切り抜き形成される輪郭が半円形状の切抜凹部１２が形成されている。切抜凹部１２は、第２連結片１１が遊離される際に第６折目線ｇと第７折目線ｈとに付与される折り曲げ力が第６折目線ｇと第７折目線ｈとの交わる位置に集中することを防止して、第６折目線ｇ又は第７折目線ｈの破断を防止するものである。なお、切抜凹部１２の形状は、適宜選択されるものであり、第６折目線ｇや第７折目線ｈの破断が生じない場合には切抜凹部１２を設けなくてもよい。
【００１８】
以上の構成による仕切体１を組立てるときには、図１及び図２を参照して、先ず、端板３を第１折目線ａに沿って折り曲げて起立させる。このとき、起立される端板３の動きに追従して、第３折目線ｃに沿って第１連結片５が折り曲げられ、第４折目線ｄが折り曲げられて、側板４が立ち上がる。そして、端板３が起立する途中で、張出部６が立ち上げられた側板４の切欠き孔８に差し込まれる。このように、第１連結片５によって、端板３を起立させるだけで側板４を連動して起立させることができる。
【００１９】
一方、側板４が立ち上がる過程においては、第６折目線ｇが第２折目線ｂと逆方向に折れ曲がり、第２連結片１１が第７折目線ｈを介して底板２に対して立ち上がる。これにより、側板４の立ち上がりに連動して第５折目線ｆを軸として中仕切板１０に回転力が付与され、中仕切板１０が側板４から遊離して側板４に直交する方向に回転する。
【００２０】
そして、端板３が直立すると、第１連結片５が側板４の内側に重合し、それに追従して側板４が直立する。同時に、第２連結片１１が底板２の上側に重合し、それに追従して中仕切板１０が側板４に対して直交する姿勢となって１２の区画が形成される。その後、端板３の係止凹部７を側板４の係止段部９に係止させることで、端板３と側板４とが連結され、図２に示す組立状態が維持される。このように、本実施形態の仕切体１によれば、一挙動の折り曲げ動作によって１２の区画数を有する仕切体１を極めて容易に組立てることができる。
【００２１】
また、仕切体１は、図３乃至図５に示すように、組立補助具１３を用いることで、組立作業が飛躍的に軽減できる。組立補助具１３は、図３に示すように、展開状態の仕切体１の底板２を略水平に支持する底板支持部１４をその中央部に備えている。また、展開状態の仕切体１の端板３に対応する位置には、端板３に当接して端板３を僅かに傾斜する姿勢に保持する端板保持部１５が設けられており、展開状態の仕切体１の第２連結片１１に対応する位置には、第２連結片１１に当接して第２連結片１１を相対的に押し上げる突起１６が設けられている。この突起１６の外側には、中仕切板１０に当接して中仕切板１０を僅かに傾斜させて保持する中仕切板保持部１７が設けられている。中仕切板保持部１７による中仕切板１０の傾斜角度は、突起１６による第２連結片１１の押し上げ量に応じたものとされている。
【００２２】
また、中仕切板保持部１７の外側には、側板４に当接して側板４を僅かに傾斜させて保持する側板保持部１８が設けられている。側板保持部１８による側板４の傾斜角度は、端板保持部１５による端板３の傾斜角度に応じたものとされている。更に、端板保持部１５の外側頂部には、端板３の係止凹部７に対応する位置決め凸部１９が形成されている。
【００２３】
組立補助具１３を用いて仕切体１を組立てるときには、先ず、図４に示すように、展開状態の（平坦な状態の）仕切体１を載置する。このとき、端板３の係止凹部７を端板保持部１５の位置決め凸部１９に係合させて位置決めを行うことができる。
【００２４】
次いで、図５に示すように、底板２を略水平な状態を維持して下方に押し下げて底板支持部１４に当接させる。これにより、底板２が底板支持部１４に支持される。このとき、端板３が端板保持部１５に案内されて傾斜状態で保持され、これに追従する側板４の傾斜に沿って側板保持部１８が側板４を保持する。これにより、第１連結片５の折れ曲がりが促された状態となる。一方、突起１６により第２連結片１１が相対的に押し上げられ、中仕切板１０が側板４から遊離した状態で中仕切板保持部１７に保持される。これによって、第２連結片１１の折れ曲がりが促された状態となる。
【００２５】
そして、この状態から端板３を起立させることにより、第１連結片５の折れ曲がりと第２連結片１１の折れ曲がりとが促された状態にあるので、側板４の起立と中仕切板１０の回転とが極めて円滑に行われる。このように、組立補助具１３を用いることにより、展開状態の仕切体を一挙動で迅速に組立状態に形成することができ、組立作業を飛躍的に軽減することができる。
【００２６】
なお、本実施形態においては、図１に示すように、端板３の張出部６を切欠き孔８に差し込むようにした構成を示したが、切欠き孔８は、図示しないが、側板４の上端側が開放される形状の切欠きであってもよい。
【００２７】
また、端板３の張出部６の形状や中仕切板１０の形状は、図１に示した形状に限られるものではなく、仕切り区画内に収容する物品の形状等に応じて最適なものに適宜変更することができる。
【図面の簡単な説明】
【００２８】
【図１】本発明の一実施形態の仕切体の展開図。
【図２】本実施形態の仕切体の組立状態を示す説明的斜視図。
【図３】本発明の一実施形態の組立補助具の説明的斜視図。
【図４】本実施形態の組立補助具の使用状態を示す説明図。
【図５】本実施形態の組立補助具の使用状態を示す説明図。
【符号の説明】
【００２９】
１…仕切体、２…底板、３…端板、４…側板、５…第１連結片、６…張出部、８…切欠き孔（切欠き）、ａ，ｂ，ｃ，ｄ，ｇ，ｈ…折目線、１０…中仕切板、１１…第２連結片、１３…組立補助具、１４…底板支持部、１５…端板保持部、１６…突起。
【図１】
2007230638.tif 000003
【図２】
2007230638.tif 000004
【図３】
2007230638.tif 000005
【図４】
2007230638.tif 000006
【図５】
2007230638.tif 000007